(57)【特許請求の範囲】
【請求項１】
カスケード接続された走査線を駆動操作する走査駆動回路であって、
直前の下り信号を受信し、前記直前の下り信号に基づいて、対応する前記走査線の走査レベル信号を生成するプルアップ制御モジュールと、
前記走査レベル信号及び現在のクロック信号に基づいて、対応する前記走査線の走査信号をプルアップするプルアップモジュールと、
直後の下り信号に基づいて、対応する前記走査線の走査信号をプルダウンするプルダウンモジュールと、
対応する前記走査線の走査信号をローレベルに維持するプルダウン維持モジュールと、
直後のプルアップ制御モジュールに現在の下り信号を送信する下りモジュールと、
前記走査線の走査信号をハイレベルにするブートストラップコンデンサと、
現在の前記走査線の走査レベル信号をリセット操作するリセットモジュールと、
複数の定電圧ローレベル源と、
を含み、
前記定電圧ローレベル源は、
前記プルダウン維持モジュールに前記走査信号をプルダウンする第１ローレベルを提供する第１定電圧ローレベル源と、
前記プルダウン維持モジュールに前記走査レベル信号及び前記下り信号をプルダウンする第２ローレベルを提供する第２定電圧ローレベル源と、
前記プルダウン維持モジュールに前記下り信号をプルダウンする第３ローレベルを提供する第３定電圧ローレベル源と、
を含み、
前記第１ローレベルの絶対値は前記第２ローレベルの絶対値より小さく、前記第２ローレベルの絶対値は、前記第３ローレベルの絶対値より小さく、
前記プルアップ制御モジュールは、第１スイッチトランジスタを含み、前記第１スイッチトランジスタの制御端は前記直前の下り信号を入力し、前記第１スイッチトランジスタの入力端は定電圧ハイレベルを入力し、前記第１スイッチトランジスタの出力端は、それぞれ前記プルアップモジュール、前記プルダウンモジュール、前記プルダウン維持モジュール、前記下りモジュール及び前記ブートストラップコンデンサに接続される走査駆動回路。
【請求項２】
前記プルアップモジュールは、第２スイッチトランジスタを含み、前記第２スイッチトランジスタの制御端は、前記プルアップ制御モジュールの第１スイッチトランジスタの出力端に接続され、前記第２スイッチトランジスタの入力端は前記現在のクロック信号を入力し、前記第２スイッチトランジスタの出力端は現在の走査信号を出力する請求項１に記載の走査駆動回路。
【請求項３】
前記下りモジュールは、第３スイッチトランジスタを含み、前記第３スイッチトランジスタの制御端は、前記プルアップ制御モジュールの第１スイッチトランジスタの出力端に接続され、前記第３スイッチトランジスタの入力端は前記現在のクロック信号を入力し、前記第３スイッチトランジスタの出力端は前記現在の下り信号を出力する請求項１に記載の走査駆動回路。
【請求項４】
前記プルダウンモジュールは、第４スイッチトランジスタを含み、前記第４スイッチトランジスタの制御端は前記直後の下り信号を入力し、前記第４スイッチトランジスタの入力端は前記プルアップ制御モジュールの第１スイッチトランジスタの出力端に接続され、前記第４スイッチトランジスタの出力端は前記第２定電圧ローレベル源に接続される請求項１に記載の走査駆動回路。
【請求項５】
前記プルダウンモジュールは、第５スイッチトランジスタを含み、前記第５スイッチトランジスタの制御端は前記直後の下り信号を入力し、前記第５スイッチトランジスタの入力端は前記第３スイッチトランジスタの出力端に接続され、前記第５スイッチトランジスタの出力端は前記定電圧ローレベル源に接続される請求項３に記載の走査駆動回路。
【請求項６】
前記プルダウン維持モジュールは、第１プルダウン維持部、第２プルダウン維持部、第２２スイッチトランジスタ及び第２３スイッチトランジスタを含み、
前記第２２スイッチトランジスタの制御端は前記第１スイッチトランジスタの出力端に接続され、前記第２２スイッチトランジスタの出力端は基準点Ｋ（Ｎ）に接続され、前記第２２スイッチトランジスタの入力端は基準点Ｐ（Ｎ）に接続され、
前記第２３スイッチトランジスタの制御端は直前の下り信号を入力し、前記第２３スイッチトランジスタの出力端は前記基準点Ｋ（Ｎ）に接続され、前記第２３スイッチトランジスタの入力端は前記基準点Ｐ（Ｎ）に接続され、
前記第１プルダウン維持部は、第６スイッチトランジスタ、第７スイッチトランジスタ、第８スイッチトランジスタ、第９スイッチトランジスタ、第１０スイッチトランジスタ、第１１スイッチトランジスタ、第１２スイッチトランジスタ、及び第１３スイッチトランジスタを含み、
前記第６スイッチトランジスタの制御端は前記基準点Ｋ（Ｎ）に接続され、前記第６スイッチトランジスタの入力端は前記第１定電圧ローレベル源に接続され、前記第６スイッチトランジスタの出力端は第２スイッチトランジスタの出力端に接続され、
前記第７スイッチトランジスタの制御端は前記基準点Ｋ（Ｎ）に接続され、前記第７スイッチトランジスタの入力端は前記第２定電圧ローレベル源に接続され、前記第７スイッチトランジスタの出力端は前記第１スイッチトランジスタの出力端に接続され、
前記第８スイッチトランジスタの制御端は前記基準点Ｋ（Ｎ）に接続され、前記第８スイッチトランジスタの入力端は前記定電圧ローレベル源に接続され、前記第８スイッチトランジスタの出力端は現在の下り信号に接続され、
前記第９スイッチトランジスタの制御端は第１高周波パルス信号に接続され、前記第９スイッチトランジスタの入力端は前記第１高周波パルス信号に接続され、前記第９スイッチトランジスタの出力端は前記基準点Ｋ（Ｎ）に接続され、
前記第１０スイッチトランジスタの制御端は前記現在の下り信号に接続され、前記第１０スイッチトランジスタの入力端は前記定電圧ローレベル源に接続され、前記第１０スイッチトランジスタの出力端は前記第１高周波パルス信号に接続され、
前記第１１スイッチトランジスタの制御端は第２高周波パルス信号に接続され、前記第１１スイッチトランジスタの入力端は前記第１高周波パルス信号に接続され、前記第１１スイッチトランジスタの出力端は前記基準点Ｋ（Ｎ）に接続され、
前記第１２スイッチトランジスタの制御端は前記基準点Ｋ（Ｎ）に接続され、前記第１２スイッチトランジスタの出力端は前記基準点Ｋ（Ｎ）に接続され、前記第１２スイッチトランジスタの入力端は前記第１高周波パルス信号に接続され、
前記第１３スイッチトランジスタの制御端は前記直前の下り信号を入力し、前記第１３スイッチトランジスタの入力端は前記定電圧ローレベル源に接続され、前記第１３スイッチトランジスタの出力端は前記第１高周波パルス信号に接続され、
前記第２プルダウン維持部は、第１４スイッチトランジスタ、第１５スイッチトランジスタ、第１６スイッチトランジスタ、第１７スイッチトランジスタ、第１８スイッチトランジスタ、第１９スイッチトランジスタ、第２０スイッチトランジスタ、及び第２１スイッチトランジスタを含み、
前記第１４スイッチトランジスタの制御端は前記基準点Ｐ（Ｎ）に接続され、前記第１４スイッチトランジスタの入力端は前記第１定電圧ローレベル源に接続され、前記第１４スイッチトランジスタの出力端は前記第２スイッチトランジスタの出力端に接続され、
前記第１５スイッチトランジスタの制御端は前記基準点Ｐ（Ｎ）に接続され、前記第１５スイッチトランジスタの入力端は前記第２定電圧ローレベル源に接続され、前記第１５スイッチトランジスタの出力端は前記第１スイッチトランジスタの出力端に接続され、
前記第１６スイッチトランジスタの制御端は前記基準点Ｐ（Ｎ）に接続され、前記第１６スイッチトランジスタの入力端は前記定電圧ローレベル源に接続され、前記第１６スイッチトランジスタの出力端は現在の下り信号に接続され、
前記第１７スイッチトランジスタの制御端は第２高周波パルス信号に接続され、前記第１７スイッチトランジスタの入力端は前記第２高周波パルス信号に接続され、前記第１７スイッチトランジスタの出力端は前記基準点Ｐ（Ｎ）に接続され、
前記第１８スイッチトランジスタの制御端は前記現在の下り信号に接続され、前記第１８スイッチトランジスタの入力端は前記定電圧ローレベル源に接続され、前記第１８スイッチトランジスタの出力端は前記第２高周波パルス信号に接続され、
前記第１９スイッチトランジスタの制御端は第１高周波パルス信号に接続され、前記第１９スイッチトランジスタの入力端は前記第２高周波パルス信号に接続され、前記第１９スイッチトランジスタの出力端は前記基準点Ｐ（Ｎ）に接続され、
前記第２０スイッチトランジスタの制御端は前記基準点Ｐ（Ｎ）に接続され、前記第２０スイッチトランジスタの出力端は前記基準点Ｐ（Ｎ）に接続され、前記第２０スイッチトランジスタの入力端は前記第２高周波パルス信号に接続される。
前記第２１スイッチトランジスタの制御端は前記直前の下り信号を入力し、前記第２１スイッチトランジスタの入力端は前記定電圧ローレベル源に接続され、前記第２１スイッチトランジスタの出力端は前記第２高周波パルス信号に接続される請求項１に記載の走査駆動回路。
【請求項７】
前記第１高周波パルス信号は前記第２高周波パルス信号の電位と逆である請求項６に記載の走査駆動回路。
【請求項８】
前記プルダウンモジュールの第５スイッチトランジスタの出力端は前記第３定電圧ローレベル源に接続され、前記プルダウン維持モジュールの第８スイッチトランジスタの入力端は前記第３定電圧ローレベル源に接続され、前記プルダウン維持モジュールの第１５スイッチトランジスタの入力端は前記第３定電圧ローレベル源に接続され、
前記プルダウンモジュールの第４スイッチトランジスタの出力端は前記第２定電圧ローレベル源に接続され、前記プルダウン維持モジュールの第７スイッチトランジスタの入力端は前記第２定電圧ローレベル源に接続され、前記プルダウン維持モジュールの第１０スイッチトランジスタの入力端は前記第２定電圧ローレベル源に接続され、前記プルダウン維持モジュールの第１５スイッチトランジスタの入力端は前記第２定電圧ローレベル源に接続され、前記プルダウン維持モジュールの第１８スイッチトランジスタの入力端は前記第２定電圧ローレベル源に接続され、
前記プルダウン維持モジュールの第６スイッチトランジスタの入力端は前記第１定電圧ローレベル源に接続され、前記プルダウン維持モジュールの第１３スイッチトランジスタの入力端は前記第１定電圧ローレベル源に接続され、前記プルダウン維持モジュールの第１４スイッチトランジスタの入力端は前記第１定電圧ローレベル源に接続され、前記プルダウン維持モジュールの第２１スイッチトランジスタの入力端は前記第１定電圧ローレベル源に接続される請求項１に記載の走査駆動回路。
【請求項９】
カスケード接続された走査線を駆動操作する走査駆動回路であって、
直前の下り信号を受信し、前記直前の下り信号に基づいて対応する前記走査線の走査レベル信号を生成するプルアップ制御モジュールと、
前記走査レベル信号及び現在のクロック信号に基づいて、対応する前記走査線の走査信号をプルアップするプルアップモジュールと、
直後の下り信号に基づいて、対応する前記走査線の走査信号をプルダウンするプルダウンモジュールと、
対応する前記走査線の走査信号をローレベルに維持するプルダウン維持モジュールと、
直後のプルアップ制御モジュールに現在の下り信号を送信する下りモジュールと、
前記走査線の走査信号をハイレベルにするブートストラップコンデンサと、
定電圧ローレベル源と、
前記プルダウン維持モジュールに前記下り信号をプルダウンする第３ローレベルを提供する第３定電圧ローレベル源と、
を含み、
前記定電圧ローレベル源は、
前記プルダウン維持モジュールに前記走査信号をプルダウンする第１ローレベルを提供する第１定電圧ローレベル源と、
前記プルダウン維持モジュールに前記走査レベル信号及び前記下り信号をプルダウンする第２ローレベルを提供する第２定電圧ローレベル源と、
を含み、
第１ローレベルの絶対値は前記第２ローレベルの絶対値より小さく、前記第２ローレベルの絶対値は前記第３ローレベルの絶対値より小さい走査駆動回路。
【請求項１０】
前記プルアップ制御モジュールは、第１スイッチトランジスタを含み、前記第１スイッチトランジスタの制御端は前記直前の下り信号を入力し、前記第１スイッチトランジスタの入力端は定電圧ハイレベルを入力し、前記第１スイッチトランジスタの出力端はそれぞれ前記プルアップモジュール、前記プルダウンモジュール、前記プルダウン維持モジュール、前記下りモジュール及び前記ブートストラップコンデンサに接続される請求項９に記載の走査駆動回路。
【請求項１１】
前記プルアップモジュールは、第２スイッチトランジスタを含み、前記第２スイッチトランジスタの制御端は前記プルアップ制御モジュールの第１スイッチトランジスタの出力端に接続され、前記第２スイッチトランジスタの入力端は前記現在のクロック信号を入力し、前記第２スイッチトランジスタの出力端は現在の走査信号を出力する請求項１０に記載の走査駆動回路。
【請求項１２】
前記下りモジュールは、第３スイッチトランジスタを含み、前記第３スイッチトランジスタの制御端は前記プルアップ制御モジュールの第１スイッチトランジスタの出力端に接続され、前記第３スイッチトランジスタの入力端は前記現在のクロック信号を入力し、前記第３スイッチトランジスタの出力端は前記現在の下り信号を出力する請求項１０に記載の走査駆動回路。
【請求項１３】
前記プルダウンモジュールは、第４スイッチトランジスタを含み、前記第４スイッチトランジスタの制御端は前記直後の下り信号を入力し、前記第４スイッチトランジスタの入力端は前記プルアップ制御モジュールの第１スイッチトランジスタの出力端に接続され、前記第４スイッチトランジスタの出力端は前記第２定電圧ローレベル源に接続される請求項１０に記載の走査駆動回路。
【請求項１４】
前記プルダウンモジュールは、第５スイッチトランジスタを含み、前記第５スイッチトランジスタの制御端は前記直後の下り信号を入力し、前記第５スイッチトランジスタの入力端は前記第３スイッチトランジスタの出力端に接続され、前記第５スイッチトランジスタの出力端は前記定電圧ローレベル源に接続される請求項１２に記載の走査駆動回路。
【請求項１５】
前記プルダウン維持モジュールは、第１プルダウン維持部、第２プルダウン維持部、第２２スイッチトランジスタ及び第２３スイッチトランジスタを含み、
前記第２２スイッチトランジスタの制御端は前記第１スイッチトランジスタの出力端に接続され、前記第２２スイッチトランジスタの出力端は基準点Ｋ（Ｎ）に接続され、前記第２２スイッチトランジスタの入力端は基準点Ｐ（Ｎ）に接続され、
前記第２３スイッチトランジスタの制御端は直前の下り信号を入力し、前記第２３スイッチトランジスタの出力端は前記基準点Ｋ（Ｎ）に接続され、前記第２３スイッチトランジスタの入力端は前記基準点Ｐ（Ｎ）に接続され、
前記第１プルダウン維持部は、第６スイッチトランジスタ、第７スイッチトランジスタ、第８スイッチトランジスタ、第９スイッチトランジスタ、第１０スイッチトランジスタ、第１１スイッチトランジスタ、第１２スイッチトランジスタ、第１３スイッチトランジスタを含み、
前記第６スイッチトランジスタの制御端は前記基準点Ｋ（Ｎ）に接続され、前記第６スイッチトランジスタの入力端は前記第１定電圧ローレベル源に接続され、前記第６スイッチトランジスタの出力端は第２スイッチトランジスタの出力端に接続され、
前記第７スイッチトランジスタの制御端は前記基準点Ｋ（Ｎ）に接続され、前記第７スイッチトランジスタの入力端は前記第２定電圧ローレベル源に接続され、前記第７スイッチトランジスタの出力端は前記第１スイッチトランジスタの出力端に接続され、
前記第８スイッチトランジスタの制御端は前記基準点Ｋ（Ｎ）に接続され、前記第８スイッチトランジスタの入力端は前記定電圧ローレベル源に接続され、前記第８スイッチトランジスタの出力端は現在の下り信号に接続され、
前記第９スイッチトランジスタの制御端は第１高周波パルス信号に接続され、前記第９スイッチトランジスタの入力端は前記第１高周波パルス信号に接続され、前記第９スイッチトランジスタの出力端は前記基準点Ｋ（Ｎ）に接続され、
前記第１０スイッチトランジスタの制御端は前記現在の下り信号に接続され、前記第１０スイッチトランジスタの入力端は前記定電圧ローレベル源に接続され、前記第１０スイッチトランジスタの出力端は前記第１高周波パルス信号に接続され、
前記第１１スイッチトランジスタの制御端は第２高周波パルス信号に接続され、前記第１１スイッチトランジスタの入力端は前記第１高周波パルス信号に接続され、前記第１１スイッチトランジスタの出力端は前記基準点Ｋ（Ｎ）に接続され、
前記第１２スイッチトランジスタの制御端は前記基準点Ｋ（Ｎ）に接続され、前記第１２スイッチトランジスタの出力端は前記基準点Ｋ（Ｎ）に接続され、前記第１２スイッチトランジスタの入力端は前記第１高周波パルス信号に接続され、
前記第１３スイッチトランジスタの制御端は前記直前の下り信号を入力し、前記第１３スイッチトランジスタの入力端は前記定電圧ローレベル源に接続され、前記第１３スイッチトランジスタの出力端は前記第１高周波パルス信号に接続され、
前記第２プルダウン維持部は、第１４スイッチトランジスタ、第１５スイッチトランジスタ、第１６スイッチトランジスタ、第１７スイッチトランジスタ、第１８スイッチトランジスタ、第１９スイッチトランジスタ、第２０スイッチトランジスタ、及び第２１スイッチトランジスタを含み、
前記第１４スイッチトランジスタの制御端は前記基準点Ｐ（Ｎ）に接続され、前記第１４スイッチトランジスタの入力端は前記第１定電圧ローレベル源に接続され、前記第１４スイッチトランジスタの出力端は前記第２スイッチトランジスタの出力端に接続され、
前記第１５スイッチトランジスタの制御端は前記基準点Ｐ（Ｎ）に接続され、前記第１５スイッチトランジスタの入力端は前記第２定電圧ローレベル源に接続され、前記第１５スイッチトランジスタの出力端は前記第１スイッチトランジスタの出力端に接続され、
前記第１６スイッチトランジスタの制御端は前記基準点Ｐ（Ｎ）に接続され、前記第１６スイッチトランジスタの入力端は前記定電圧ローレベル源に接続され、前記第１６スイッチトランジスタの出力端は現在の下り信号に接続され、
前記第１７スイッチトランジスタの制御端は第２高周波パルス信号に接続され、前記第１７スイッチトランジスタの入力端は前記第２高周波パルス信号に接続され、前記第１７スイッチトランジスタの出力端は前記基準点Ｐ（Ｎ）に接続され、
前記第１８スイッチトランジスタの制御端は前記現在の下り信号に接続され、前記第１８スイッチトランジスタの入力端は前記定電圧ローレベル源に接続され、前記第１８スイッチトランジスタの出力端は前記第２高周波パルス信号に接続され、
前記第１９スイッチトランジスタの制御端は第１高周波パルス信号に接続され、前記第１９スイッチトランジスタの入力端は前記第２高周波パルス信号に接続され、前記第１９スイッチトランジスタの出力端は前記基準点Ｐ（Ｎ）に接続され、
前記第２０スイッチトランジスタの制御端は前記基準点Ｐ（Ｎ）に接続され、前記第２０スイッチトランジスタの出力端は前記基準点Ｐ（Ｎ）に接続され、前記第２０スイッチトランジスタの入力端は前記第２高周波パルス信号に接続される。
前記第２１スイッチトランジスタの制御端は前記直前の下り信号を入力し、前記第２１スイッチトランジスタの入力端は前記定電圧ローレベル源に接続され、前記第２１スイッチトランジスタの出力端は前記第２高周波パルス信号に接続される請求項１０に記載の走査駆動回路。
【請求項１６】
前記第１高周波パルス信号は前記第２高周波パルス信号の電位と逆である請求項１５に記載の走査駆動回路。
【請求項１７】
前記プルダウンモジュールの第５スイッチトランジスタの出力端は前記第３定電圧ローレベル源に接続され、前記プルダウン維持モジュールの第８スイッチトランジスタの入力端は前記第３定電圧ローレベル源に接続され、前記プルダウン維持モジュールの第１５スイッチトランジスタの入力端は前記第３定電圧ローレベル源に接続され、
前記プルダウンモジュールの第４スイッチトランジスタの出力端は前記第２定電圧ローレベル源に接続され、前記プルダウン維持モジュールの第７スイッチトランジスタの入力端は前記第２定電圧ローレベル源に接続され、前記プルダウン維持モジュールの第１０スイッチトランジスタの入力端は前記第２定電圧ローレベル源に接続され、前記プルダウン維持モジュールの第１５スイッチトランジスタの入力端は前記第２定電圧ローレベル源に接続され、前記プルダウン維持モジュールの第１８スイッチトランジスタの入力端は前記第２定電圧ローレベル源に接続され、
前記プルダウン維持モジュールの第６スイッチトランジスタの入力端は前記第１定電圧ローレベル源に接続され、前記プルダウン維持モジュールの第１３スイッチトランジスタの入力端は前記第１定電圧ローレベル源に接続され、前記プルダウン維持モジュールの第１４スイッチトランジスタの入力端は前記第１定電圧ローレベル源に接続され、前記プルダウン維持モジュールの第２１スイッチトランジスタの入力端は前記第１定電圧ローレベル源に接続される請求項９に記載の走査駆動回路。
【請求項１８】
前記走査駆動回路は、
現在の前記走査線の走査レベル信号をリセット操作するリセットモジュールを更に含む請求項９に記載の走査駆動回路。
【発明の詳細な説明】
【技術分野】
【０００１】
本発明は、表示駆動分野、特に走査駆動回路に関する。
【背景技術】
【０００２】
Ｇａｔｅ  Ｄｒｉｖｅｒ  Ｏｎ  Ａｒｒａｙ（ＧＯＡ）とは、従来の薄膜トランジスタ液晶ディスプレイのアレイ基板に走査駆動回路を制作することにより、走査線を行毎に走査することを実現する駆動方式である。従来の走査駆動回路の構造模式図を図１に示す。該走査駆動回路１０は、プルアップ制御モジュール１０１、プルアップモジュール１０２、下りモジュール１０３、プルダウンモジュール１０４、ブートストラップコンデンサ１０５及びプルダウン維持モジュール１０６を含む。
該走査駆動回路１０が高温状態で動作する場合、スイッチトランジスタの閾値電圧は負の値に変化することにより、走査駆動回路１０の各モジュールのスイッチトランジスタに漏電が発生しやすく、該走査駆動回路の信頼性に影響を与える。
【０００３】
そのため、従来技術における問題を解決するために、走査駆動回路を提供する必要がある。
【発明の概要】
【発明が解決しようとする課題】
【０００４】
本発明は、漏電が少なく且つ信頼性が高い走査駆動回路を提供することにより、従来技術における、走査駆動回路に漏電が発生し易く、走査駆動回路の信頼性に影響を与えるという技術問題を解決することを目的とする。
【課題を解決するための手段】
【０００５】
前記の問題を解決するために、本発明は以下の技術案を提供する。
本発明の実施例は、カスケード接続された走査線を駆動操作する走査駆動回路を提供する。該走査駆動回路は、
直前の下り信号を受信し、前記直前の下り信号に基づいて、対応する前記走査線の走査レベル信号を生成するプルアップ制御モジュールと、
前記走査レベル信号及び現在のクロック信号に基づいて、対応する前記走査線の走査信号をプルアップするプルアップモジュールと、
直後の下り信号に基づいて、対応する前記走査線の走査信号をプルダウンするプルダウンモジュールと、
対応する前記走査線の走査信号をローレベルに維持するプルダウン維持モジュールと、
直後のプルアップ制御モジュールに現在の下り信号を送信する下りモジュールと、
前記走査線の走査信号をハイレベルにするブートストラップコンデンサと、
現在の前記走査線の走査レベル信号をリセット操作するリセットモジュールと、
定電圧ローレベル源と、
を含み、
該定電圧ローレベル源は、
前記プルダウン維持モジュールに前記走査信号をプルダウンする第１ローレベルを提供する第１定電圧ローレベル源と、
前記プルダウン維持モジュールに前記走査レベル信号及び前記下り信号をプルダウンする第２ローレベルを提供する第２定電圧ローレベル源と、
を含み、
第１ローレベルの絶対値は、前記第２ローレベルの絶対値より小さく、
前記プルアップ制御モジュールは、第１スイッチトランジスタを含み、前記第１スイッチトランジスタの制御端は前記直前の下り信号を入力し、前記第１スイッチトランジスタの入力端は前記定電圧ハイレベルを入力し、前記第１スイッチトランジスタの出力端はそれぞれ前記プルアップモジュール、前記プルダウンモジュール、前記プルダウン維持モジュール、前記下りモジュール及び前記ブートストラップコンデンサに接続される。
【０００６】
本発明に記載の走査駆動回路において、前記プルアップモジュールは、第２スイッチトランジスタを含み、前記第２スイッチトランジスタの制御端は前記プルアップ制御モジュールの第１スイッチトランジスタの出力端に接続され、前記第２スイッチトランジスタの入力端は前記現在のクロック信号を入力し、前記第２スイッチトランジスタの出力端は現在の走査信号を出力する。
本発明に記載の走査駆動回路において、前記下りモジュールは、第３スイッチトランジスタを含み、前記第３スイッチトランジスタの制御端は前記プルアップ制御モジュールの第１スイッチトランジスタの出力端に接続され、前記第３スイッチトランジスタの入力端は前記現在のクロック信号を入力し、前記第３スイッチトランジスタの出力端は前記現在の下り信号を出力する。
【０００７】
本発明に記載の走査駆動回路において、前記プルダウンモジュールは、第４スイッチトランジスタを含み、前記第４スイッチトランジスタの制御端は前記直後の下り信号を入力し、前記第４スイッチトランジスタの入力端は前記プルアップ制御モジュールの第１スイッチトランジスタの出力端に接続され、前記第４スイッチトランジスタの出力端は前記第２定電圧ローレベル源に接続される。
【０００８】
本発明に記載の走査駆動回路において、前記プルダウンモジュールは、第５スイッチトランジスタを含み、前記第５スイッチトランジスタの制御端は前記直後の下り信号を入力し、前記第５スイッチトランジスタの入力端は前記第３スイッチトランジスタの出力端に接続され、前記第５スイッチトランジスタの出力端は前記定電圧ローレベル源に接続される。
【０００９】
本発明に記載の走査駆動回路において、前記プルダウン維持モジュールは、第１プルダウン維持部、第２プルダウン維持部、第２２スイッチトランジスタ及び第２３スイッチトランジスタを含む。
【００１０】
前記第２２スイッチトランジスタの制御端は前記第１スイッチトランジスタの出力端に接続され、前記第２２スイッチトランジスタの出力端は基準点Ｋ（Ｎ）に接続され、前記第２２スイッチトランジスタの入力端は基準点Ｐ（Ｎ）に接続される。
前記第２３スイッチトランジスタの制御端は直前の下り信号を入力し、前記第２３スイッチトランジスタの出力端は前記基準点Ｋ（Ｎ）に接続され、前記第２３スイッチトランジスタの入力端は前記基準点Ｐ（Ｎ）に接続される。
【００１１】
前記第１プルダウン維持部は、第６スイッチトランジスタ、第７スイッチトランジスタ、第８スイッチトランジスタ、第９スイッチトランジスタ、第１０スイッチトランジスタ、第１１スイッチトランジスタ、第１２スイッチトランジスタ、第１３スイッチトランジスタを含む。
【００１２】
前記第６スイッチトランジスタの制御端は前記基準点Ｋ（Ｎ）に接続され、前記第６スイッチトランジスタの入力端は前記第１定電圧ローレベル源に接続され、前記第６スイッチトランジスタの出力端は前記第２スイッチトランジスタの出力端に接続される。
【００１３】
前記第７スイッチトランジスタの制御端は前記基準点Ｋ（Ｎ）に接続され、前記第７スイッチトランジスタの入力端は前記第２定電圧ローレベル源に接続され、前記第７スイッチトランジスタの出力端は前記第１スイッチトランジスタの出力端に接続される。
前記第８スイッチトランジスタの制御端は前記基準点Ｋ（Ｎ）に接続され、前記第８スイッチトランジスタの入力端は前記定電圧ローレベル源に接続され、前記第８スイッチトランジスタの出力端は現在の下り信号に接続される。
【００１４】
前記第９スイッチトランジスタの制御端は第１高周波パルス信号に接続され、前記第９スイッチトランジスタの入力端は前記第１高周波パルス信号に接続され、前記第９スイッチトランジスタの出力端は前記基準点Ｋ（Ｎ）に接続される。
前記第１０スイッチトランジスタの制御端は前記現在の下り信号に接続され、前記第１０スイッチトランジスタの入力端は前記定電圧ローレベル源に接続され、前記第１０スイッチトランジスタの出力端は前記第１高周波パルス信号に接続される。
【００１５】
前記第１１スイッチトランジスタの制御端は第２高周波パルス信号に接続され、前記第１１スイッチトランジスタの入力端は前記第１高周波パルス信号に接続され、前記第１１スイッチトランジスタの出力端は前記基準点Ｋ（Ｎ）に接続される。
【００１６】
前記第１２スイッチトランジスタの制御端は前記基準点Ｋ（Ｎ）に接続され、前記第１２スイッチトランジスタの出力端は前記基準点Ｋ（Ｎ）に接続され、前記第１２スイッチトランジスタの入力端は前記第１高周波パルス信号に接続される。
【００１７】
前記第１３スイッチトランジスタの制御端は前記直前の下り信号を入力し、前記第１３スイッチトランジスタの入力端は前記定電圧ローレベル源に接続され、前記第１３スイッチトランジスタの出力端は前記第１高周波パルス信号に接続される。
【００１８】
前記第２プルダウン維持部は、第１４スイッチトランジスタ、第１５スイッチトランジスタ、第１６スイッチトランジスタ、第１７スイッチトランジスタ、第１８スイッチトランジスタ、第１９スイッチトランジスタ、第２０スイッチトランジスタ、第２１スイッチトランジスタを含む。
【００１９】
前記第１４スイッチトランジスタの制御端は前記基準点Ｐ（Ｎ）に接続され、前記第１４スイッチトランジスタの入力端は前記第１定電圧ローレベル源に接続され、前記第１４スイッチトランジスタの出力端は前記第２スイッチトランジスタの出力端に接続される。
【００２０】
前記第１５スイッチトランジスタの制御端は前記基準点Ｐ（Ｎ）に接続され、前記第１５スイッチトランジスタの入力端は前記第２定電圧ローレベル源に接続され、前記第１５スイッチトランジスタの出力端は前記第１スイッチトランジスタの出力端に接続される。
【００２１】
前記第１６スイッチトランジスタの制御端は前記基準点Ｐ（Ｎ）に接続され、前記第１６スイッチトランジスタの入力端は前記定電圧ローレベル源に接続され、前記第１６スイッチトランジスタの出力端は現在の下り信号に接続される。
前記第１７スイッチトランジスタの制御端は第２高周波パルス信号に接続され、前記第１７スイッチトランジスタの入力端は前記第２高周波パルス信号に接続され、前記第１７スイッチトランジスタの出力端は前記基準点Ｐ（Ｎ）に接続される。
【００２２】
前記第１８スイッチトランジスタの制御端は前記現在の下り信号に接続され、前記第１８スイッチトランジスタの入力端は前記定電圧ローレベル源に接続され、前記第１８スイッチトランジスタの出力端は前記第２高周波パルス信号に接続される。
【００２３】
前記第１９スイッチトランジスタの制御端は第１高周波パルス信号に接続され、前記第１９スイッチトランジスタの入力端は前記第２高周波パルス信号に接続され、前記第１９スイッチトランジスタの出力端は前記基準点Ｐ（Ｎ）に接続される。
【００２４】
前記第２０スイッチトランジスタの制御端は前記基準点Ｐ（Ｎ）に接続され、前記第２０スイッチトランジスタの出力端は前記基準点Ｐ（Ｎ）に接続され、前記第２０スイッチトランジスタの入力端は前記第２高周波パルス信号に接続される。
【００２５】
前記第２１スイッチトランジスタの制御端は前記直前の下り信号を入力し、前記第２１スイッチトランジスタの入力端は前記定電圧ローレベル源に接続され、前記第２１スイッチトランジスタの出力端は前記第２高周波パルス信号に接続される。
【００２６】
本発明に記載の走査駆動回路において、前記第１高周波パルス信号は、前記第２高周波パルス信号の電位と逆である。
【００２７】
本発明に記載の走査駆動回路において、前記定電圧ローレベル源は、
前記プルダウン維持モジュールに前記走査信号をプルダウンする第１ローレベルを提供する第１定電圧ローレベル源と、
前記プルダウン維持モジュールに前記走査レベル信号をプルダウンする第２ローレベルを提供する第２定電圧ローレベル源と、
前記プルダウン維持モジュールに前記下り信号をプルダウンする第３ローレベルを提供する第３定電圧ローレベル源と、
を含み、
前記第１ローレベルの絶対値は前記第２ローレベルの絶対値より小さく、前記第２ローレベルの絶対値は前記第３ローレベルの絶対値より小さい。
【００２８】
本発明に記載の走査駆動回路において、前記プルダウンモジュールの第５スイッチトランジスタの出力端は前記第３定電圧ローレベル源に接続され、前記プルダウン維持モジュールの第８スイッチトランジスタの入力端は前記第３定電圧ローレベル源に接続され、前記プルダウン維持モジュールの第１５スイッチトランジスタの入力端は前記第３定電圧ローレベル源に接続される。
前記プルダウンモジュールの第４スイッチトランジスタの出力端は前記第２定電圧ローレベル源に接続され、前記プルダウン維持モジュールの第７スイッチトランジスタの入力端は前記第２定電圧ローレベル源に接続され、前記プルダウン維持モジュールの第１０スイッチトランジスタの入力端は前記第２定電圧ローレベル源に接続され、前記プルダウン維持モジュールの第１５スイッチトランジスタの入力端は前記第２定電圧ローレベル源に接続され、前記プルダウン維持モジュールの第１８スイッチトランジスタの入力端は前記第２定電圧ローレベル源に接続される。
前記プルダウン維持モジュールの第６スイッチトランジスタの入力端は前記第１定電圧ローレベル源に接続され、前記プルダウン維持モジュールの第１３スイッチトランジスタの入力端は前記第１定電圧ローレベル源に接続され、前記プルダウン維持モジュールの第１４スイッチトランジスタの入力端は前記第１定電圧ローレベル源に接続され、前記プルダウン維持モジュールの第２１スイッチトランジスタの入力端は前記第１定電圧ローレベル源に接続される。
【００２９】
本発明の実施例は、カスケード接続された走査線を駆動操作する走査駆動回路を提供する。該走査駆動回路は、
直前の下り信号を受信し、前記直前の下り信号に基づいて、対応する前記走査線の走査レベル信号を生成するプルアップ制御モジュールと、
前記走査レベル信号及び現在のクロック信号に基づいて、対応する前記走査線の走査信号をプルアップするプルアップモジュールと、
直後の下り信号に基づいて、対応する前記走査線の走査信号をプルダウンするプルダウンモジュールと、
対応する前記走査線の走査信号をローレベルに維持するプルダウン維持モジュールと、
直後のプルアップ制御モジュールに現在の下り信号を送信する下りモジュールと、
前記走査線の走査信号をハイレベルにするブートストラップコンデンサと、
定電圧ローレベル源と、
を含み、該定電圧ローレベル源は、
前記プルダウン維持モジュールに前記走査信号をプルダウンする第１ローレベルを提供する第１定電圧ローレベル源と、
前記プルダウン維持モジュールに前記走査レベル信号及び前記下り信号をプルダウンする第２ローレベルを提供する第２定電圧ローレベル源と、
を含み、
第１ローレベルの絶対値は前記第２ローレベルの絶対値より小さい。
【００３０】
本発明に記載の走査駆動回路において、前記プルアップ制御モジュールは、第１スイッチトランジスタを含み、前記第１スイッチトランジスタの制御端は前記直前の下り信号を入力し、前記第１スイッチトランジスタの入力端は前記定電圧ハイレベルを入力し、前記第１スイッチトランジスタの出力端はそれぞれ前記プルアップモジュール、前記プルダウンモジュール、前記プルダウン維持モジュール、前記下りモジュール及び前記ブートストラップコンデンサに接続される。
【００３１】
本発明に記載の走査駆動回路において、前記プルアップモジュールは、第２スイッチトランジスタを含み、前記第２スイッチトランジスタの制御端は前記プルアップ制御モジュールの第１スイッチトランジスタの出力端に接続され、前記第２スイッチトランジスタの入力端は前記現在のクロック信号を入力し、前記第２スイッチトランジスタの出力端は現在の走査信号を出力する。
本発明に記載の走査駆動回路において、前記下りモジュールは、第３スイッチトランジスタを含み、前記第３スイッチトランジスタの制御端は前記プルアップ制御モジュールの第１スイッチトランジスタの出力端に接続され、前記第３スイッチトランジスタの入力端は前記現在のクロック信号を入力し、前記第３スイッチトランジスタの出力端は前記現在の下り信号を出力する。
【００３２】
本発明に記載の走査駆動回路において、前記プルダウンモジュールは、第４スイッチトランジスタを含み、前記第４スイッチトランジスタの制御端は前記直後の下り信号を入力し、前記第４スイッチトランジスタの入力端は前記プルアップ制御モジュールの第１スイッチトランジスタの出力端に接続され、前記第４スイッチトランジスタの出力端は前記第２定電圧ローレベル源に接続される。
【００３３】
本発明に記載の走査駆動回路において、前記プルダウンモジュールは、第５スイッチトランジスタを含み、前記第５スイッチトランジスタの制御端は前記直後の下り信号を入力し、前記第５スイッチトランジスタの入力端は前記第３スイッチトランジスタの出力端に接続され、前記第５スイッチトランジスタの出力端は前記定電圧ローレベル源に接続される。
【００３４】
本発明に記載の走査駆動回路において、前記プルダウン維持モジュールは、第１プルダウン維持部、第２プルダウン維持部、第２２スイッチトランジスタ及び第２３スイッチトランジスタを含む。
【００３５】
前記第２２スイッチトランジスタの制御端は前記第１スイッチトランジスタの出力端に接続され、前記第２２スイッチトランジスタの出力端は基準点Ｋ（Ｎ）に接続され、前記第２２スイッチトランジスタの入力端は基準点Ｐ（Ｎ）に接続される。
【００３６】
前記第２３スイッチトランジスタの制御端は直前の下り信号を入力し、前記第２３スイッチトランジスタの出力端は前記基準点Ｋ（Ｎ）に接続され、前記第２３スイッチトランジスタの入力端は前記基準点Ｐ（Ｎ）に接続される。
【００３７】
前記第１プルダウン維持部は、第６スイッチトランジスタ、第７スイッチトランジスタ、第８スイッチトランジスタ、第９スイッチトランジスタ、第１０スイッチトランジスタ、第１１スイッチトランジスタ、第１２スイッチトランジスタ、第１３スイッチトランジスタを含む。
【００３８】
前記第６スイッチトランジスタの制御端は前記基準点Ｋ（Ｎ）に接続され、前記第６スイッチトランジスタの入力端は前記第１定電圧ローレベル源に接続され、前記第６スイッチトランジスタの出力端は前記第２スイッチトランジスタの出力端に接続される。
【００３９】
前記第７スイッチトランジスタの制御端は前記基準点Ｋ（Ｎ）に接続され、前記第７スイッチトランジスタの入力端は前記第２定電圧ローレベル源に接続され、前記第７スイッチトランジスタの出力端は前記第１スイッチトランジスタの出力端に接続される。
【００４０】
前記第８スイッチトランジスタの制御端は前記基準点Ｋ（Ｎ）に接続され、前記第８スイッチトランジスタの入力端は前記定電圧ローレベル源に接続され、前記第８スイッチトランジスタの出力端は現在の下り信号に接続される。
【００４１】
前記第９スイッチトランジスタの制御端は第１高周波パルス信号に接続され、前記第９スイッチトランジスタの入力端は前記第１高周波パルス信号に接続され、前記第９スイッチトランジスタの出力端は前記基準点Ｋ（Ｎ）に接続される。
【００４２】
前記第１０スイッチトランジスタの制御端は前記現在の下り信号に接続され、前記第１０スイッチトランジスタの入力端は前記定電圧ローレベル源に接続され、前記第１０スイッチトランジスタの出力端は前記第１高周波パルス信号に接続される。
【００４３】
前記第１１スイッチトランジスタの制御端は第２高周波パルス信号に接続され、前記第１１スイッチトランジスタの入力端は前記第１高周波パルス信号に接続され、前記第１１スイッチトランジスタの出力端は前記基準点Ｋ（Ｎ）に接続される。
【００４４】
前記第１２スイッチトランジスタの制御端は前記基準点Ｋ（Ｎ）に接続され、前記第１２スイッチトランジスタの出力端は前記基準点Ｋ（Ｎ）に接続され、前記第１２スイッチトランジスタの入力端は前記第１高周波パルス信号に接続される。
【００４５】
前記第１３スイッチトランジスタの制御端は前記直前の下り信号を入力し、前記第１３スイッチトランジスタの入力端は前記定電圧ローレベル源に接続され、前記第１３スイッチトランジスタの出力端は前記第１高周波パルス信号に接続される。
【００４６】
前記第２プルダウン維持部は、第１４スイッチトランジスタ、第１５スイッチトランジスタ、第１６スイッチトランジスタ、第１７スイッチトランジスタ、第１８スイッチトランジスタ、第１９スイッチトランジスタ、第２０スイッチトランジスタ、第２１スイッチトランジスタを含む。
【００４７】
前記第１４スイッチトランジスタの制御端は前記基準点Ｐ（Ｎ）に接続され、前記第１４スイッチトランジスタの入力端は前記第１定電圧ローレベル源に接続され、前記第１４スイッチトランジスタの出力端は前記第２スイッチトランジスタの出力端に接続される。
【００４８】
前記第１５スイッチトランジスタの制御端は前記基準点Ｐ（Ｎ）に接続され、前記第１５スイッチトランジスタの入力端は前記第２定電圧ローレベル源に接続され、前記第１５スイッチトランジスタの出力端は前記第１スイッチトランジスタの出力端に接続される。
【００４９】
前記第１６スイッチトランジスタの制御端は前記基準点Ｐ（Ｎ）に接続され、前記第１６スイッチトランジスタの入力端は前記定電圧ローレベル源に接続され、前記第１６スイッチトランジスタの出力端は現在の下り信号に接続される。
【００５０】
前記第１７スイッチトランジスタの制御端は第２高周波パルス信号に接続され、前記第１７スイッチトランジスタの入力端は前記第２高周波パルス信号に接続され、前記第１７スイッチトランジスタの出力端は前記基準点Ｐ（Ｎ）に接続される。
【００５１】
前記第１８スイッチトランジスタの制御端は前記現在の下り信号に接続され、前記第１８スイッチトランジスタの入力端は前記定電圧ローレベル源に接続され、前記第１８スイッチトランジスタの出力端は前記第２高周波パルス信号に接続される。
【００５２】
前記第１９スイッチトランジスタの制御端は第１高周波パルス信号に接続され、前記第１９スイッチトランジスタの入力端は前記第２高周波パルス信号に接続され、前記第１９スイッチトランジスタの出力端は前記基準点Ｐ（Ｎ）に接続される。
【００５３】
前記第２０スイッチトランジスタの制御端は前記基準点Ｐ（Ｎ）に接続され、前記第２０スイッチトランジスタの出力端は前記基準点Ｐ（Ｎ）に接続され、前記第２０スイッチトランジスタの入力端は前記第２高周波パルス信号に接続される。
前記第２１スイッチトランジスタの制御端は前記直前の下り信号を入力し、前記第２１スイッチトランジスタの入力端は前記定電圧ローレベル源に接続され、前記第２１スイッチトランジスタの出力端は前記第２高周波パルス信号に接続される。
【００５４】
本発明に記載の走査駆動回路において、前記第１高周波パルス信号は前記第２高周波パルス信号の電位と逆である。
【００５５】
本発明に記載の走査駆動回路において、前記定電圧ローレベル源は、
前記プルダウン維持モジュールに前記走査信号をプルダウンする第１ローレベルを提供する第１定電圧ローレベル源と、
前記プルダウン維持モジュールに前記走査レベル信号をプルダウンする第２ローレベルを提供する第２定電圧ローレベル源と、
前記プルダウン維持モジュールに前記下り信号をプルダウンする第３ローレベルを提供する第３定電圧ローレベル源と、
前記第１ローレベルの絶対値は前記第２ローレベルの絶対値より小さく、前記第２ローレベルの絶対値は前記第３ローレベルの絶対値より小さい。
【００５６】
本発明に記載の走査駆動回路において、前記プルダウンモジュールの第５スイッチトランジスタの出力端は前記第３定電圧ローレベル源に接続され、前記プルダウン維持モジュールの第８スイッチトランジスタの入力端は前記第３定電圧ローレベル源に接続され、前記プルダウン維持モジュールの第１５スイッチトランジスタの入力端は前記第３定電圧ローレベル源に接続される。
前記プルダウンモジュールの第４スイッチトランジスタの出力端は前記第２定電圧ローレベル源に接続され、前記プルダウン維持モジュールの第７スイッチトランジスタの入力端は前記第２定電圧ローレベル源に接続され、前記プルダウン維持モジュールの第１０スイッチトランジスタの入力端は前記第２定電圧ローレベル源に接続され、前記プルダウン維持モジュールの第１５スイッチトランジスタの入力端は前記第２定電圧ローレベル源に接続され、前記プルダウン維持モジュールの第１８スイッチトランジスタの入力端は前記第２定電圧ローレベル源に接続される。
前記プルダウン維持モジュールの第６スイッチトランジスタの入力端は前記第１定電圧ローレベル源に接続され、前記プルダウン維持モジュールの第１３スイッチトランジスタの入力端は前記第１定電圧ローレベル源に接続され、前記プルダウン維持モジュールの第１４スイッチトランジスタの入力端は前記第１定電圧ローレベル源に接続され、前記プルダウン維持モジュールの第２１スイッチトランジスタの入力端は前記第１定電圧ローレベル源に接続される。
本発明に記載の走査駆動回路において、前記走査駆動回路は、
現在の前記走査線の走査レベル信号をリセット操作するリセットモジュールを更に含む。
【発明の効果】
【００５７】
従来の走査駆動回路に比べて、本発明の走査駆動回路は、複数の異なる電位の定電圧ローレベル源を設置することにより、漏電の発生を回避し、走査駆動回路の信頼性を向上させることができ、従来の走査駆動回路に漏電が発生しやすく、走査駆動回路の信頼性に影響を与えるという技術問題を解決する。
【図面の簡単な説明】
【００５８】
【図１】図１は、従来の走査駆動回路の構造模式図である。
【図２】図２は、本発明の走査駆動回路の第１の好ましい実施例の構造模式図である。
【図３】図３は、本発明の走査駆動回路の第２の好ましい実施例の構造模式図である。
【図４】図４は、本発明の走査駆動回路の第３の好ましい実施例の構造模式図である。
【図５】図５は、本発明の走査駆動回路の第４の好ましい実施例の構造模式図である。
【図６】図６は、本発明の走査駆動回路の第４の好ましい実施例の信号波形図である。
【図７】図７は、本発明の走査駆動回路の第５の好ましい実施例の構造模式図である。
【図８】図８は、本発明の走査駆動回路の第５の好ましい実施例の信号波形図である。
【発明を実施するための形態】
【００５９】
以下の各実施例は、図面を参照して説明され、本発明の実施可能な特定な実施例を例示するものである。本発明でいう方向用語、例えば「上」、「下」、「前」、「後」、「左」、「右」、「内」、「外」、「側面」等は、図面における方向に過ぎない。よって、用いられる方向用語は、本発明を説明及び理解するためのもので、本発明を制限しない。
【００６０】
図面において、構造が類似する単位を同一の符号で表示する。
【００６１】
図２は、本発明の走査駆動回路の第１の好ましい実施例の構造模式図である。本好ましい実施例の走査駆動回路２０は、プルアップ制御モジュール２０１、プルアップモジュール２０２、プルダウンモジュール２０３、プルダウン維持モジュール２０４、下りモジュール２０５、ブートストラップコンデンサＣｂ及び定電圧ローレベル源を含む。
【００６２】
プルアップ制御モジュール２０１は、直前の下り信号ＳＴ（Ｎ−１）を受信し、直前の下り信号ＳＴ（Ｎ−１）に基づいて、対応する走査線の走査レベル信号Ｑ（Ｎ）を生成し、プルアップモジュール２０２は、走査レベル信号Ｑ（Ｎ）及び現在のクロック信号ＣＫ（Ｎ）に基づいて、対応する走査線の走査信号Ｇ（Ｎ）をプルアップし、プルダウンモジュール２０３は、直後の下り信号ＳＴ（Ｎ＋１）に基づいて、対応する走査線の走査信号Ｇ（Ｎ）をプルダウンし、プルダウン維持モジュール２０４は、対応する走査線の走査信号Ｇ（Ｎ）をローレベルに維持し、下りモジュール２０５は、直後のプルアップ制御モジュール２０４に現在の下り信号ＳＴ（Ｎ）を送信し、ブートストラップコンデンサＣｂは、走査線の走査信号Ｇ（Ｎ）をハイレベルにする。
【００６３】
定電圧ローレベル源は、第１定電圧ローレベル源ＶＳＳ１及び第２定電圧ローレベル源ＶＳＳ２を含む。第１定電圧ローレベル源ＶＳＳ１はプルダウン維持モジュール２０４に第１ローレベルを提供し、第２定電圧ローレベル源ＶＳＳ２はプルダウン維持モジュール２０４に第２ローレベルを提供し、第１ローレベルは走査信号Ｇ（Ｎ）をプルダウンし、第２ローレベルは走査レベル信号Ｑ（Ｎ）及び下り信号ＳＴ（Ｎ）をプルダウンする。第１ローレベルの絶対値は第２ローレベルの絶対値より大きい。
【００６４】
プルアップ制御モジュール２０１は、第１スイッチトランジスタＴ１を含み、第１スイッチトランジスタＴ１の制御端は直前の下り信号ＳＴ（Ｎ−１）を入力し、第１スイッチトランジスタＴ１の入力端は定電圧ハイレベルＤＣＨを入力し、第１スイッチトランジスタＴ１の出力端はそれぞれプルアップモジュール２０２、プルダウンモジュール２０３、プルダウン維持モジュール２０４、下りモジュール２０５及びブートストラップコンデンサＣｂに接続される。
【００６５】
プルアップモジュール２０２は、第２スイッチトランジスタＴ２を含み、第２スイッチトランジスタＴ２の制御端はプルアップ制御モジュール２０１の第１スイッチトランジスタＴ１の出力端に接続され、第２スイッチトランジスタＴ２の入力端は現在のクロック信号ＣＫ（Ｎ）を入力し、第２スイッチトランジスタＴ２の出力端は現在の走査信号Ｇ（Ｎ）を出力する。
【００６６】
下りモジュール２０５は、第３スイッチトランジスタＴ１９を含み、第３スイッチトランジスタＴ１９の制御端はプルアップ制御モジュール２０１の第１スイッチトランジスタＴ１の出力端に接続され、第３スイッチトランジスタＴ１９の入力端は現在のクロック信号ＣＫ（Ｎ）を入力し、第３スイッチトランジスタＴ１９の出力端は現在の下り信号ＳＴ（Ｎ）を出力する。
【００６７】
プルダウンモジュール２０３は、第４スイッチトランジスタＴ３及び第５スイッチトランジスタＴ２１を含み、第４スイッチトランジスタＴ３の制御端は直後の下り信号ＳＴ（Ｎ＋１）を入力し、第４スイッチトランジスタＴ３の入力端はプルアップ制御モジュールの第１スイッチトランジスタＴ１の出力端に接続され、第４スイッチトランジスタＴ３の出力端は第２定電圧ローレベル源に接続される。第５スイッチトランジスタＴ２１の制御端は直後の下り信号ＳＴ（Ｎ＋１）を入力し、第５スイッチトランジスタＴ２１の入力端は第２スイッチトランジスタＴ１９の出力端に接続され、第５スイッチトランジスタＴ２１の出力端は第１定電圧ローレベル源に接続される。
【００６８】
プルダウン維持モジュール２０４は、第１プルダウン維持部２０４１、第２プルダウン維持部２０４２、第２２スイッチトランジスタＴ１３及び第２３スイッチトランジスタＴ１４を含む。
【００６９】
第２２スイッチトランジスタＴ１３の制御端は第１スイッチトランジスタＴ１の出力端に接続され、第２２スイッチトランジスタの出力端は基準点Ｋ（Ｎ）に接続され、第２２スイッチトランジスタの入力端は基準点Ｐ（Ｎ）に接続される。
【００７０】
第２３スイッチトランジスタＴ１４の制御端は直前の下り信号ＳＴ（Ｎ−１）を入力し、第２３スイッチトランジスタＴ１４の出力端は基準点Ｋ（Ｎ）に接続され、第２３スイッチトランジスタＴ１４の入力端は基準点Ｐ（Ｎ）に接続される。
【００７１】
第１プルダウン維持部２０４１は、第６スイッチトランジスタＴ１０、第７スイッチトランジスタＴ９、第８スイッチトランジスタＴ２３、第９スイッチトランジスタＴ６、第１０スイッチトランジスタＴ８、第１１スイッチトランジスタＴ１６、第１２スイッチトランジスタＴ２０、第１３スイッチトランジスタＴ１８を含む。
【００７２】
第６スイッチトランジスタＴ１０の制御端は基準点Ｋ（Ｎ）に接続され、第６スイッチトランジスタＴ１０の入力端は第１定電圧ローレベル源ＶＳＳ１に接続され、第６スイッチトランジスタＴ１０の出力端は第２スイッチトランジスタＴ２の出力端に接続される。
【００７３】
第７スイッチトランジスタＴ９の制御端は基準点Ｋ（Ｎ）に接続され、第７スイッチトランジスタＴ９の入力端は第２定電圧ローレベル源ＶＳＳ２に接続され、第７スイッチトランジスタＴ９の出力端は第１スイッチトランジスタＴ１の出力端に接続される。
【００７４】
第８スイッチトランジスタＴ２３の制御端は基準点Ｋ（Ｎ）に接続され、第８スイッチトランジスタＴ２３の入力端は第１定電圧ローレベル源ＶＳＳ１に接続され、第８スイッチトランジスタＴ２３の出力端は現在の下り信号ＳＴ（Ｎ）に接続される。
第９スイッチトランジスタＴ６の制御端は第１高周波パルス信号ＸＣＫＮ（即ち、クロック信号）に接続され、第９スイッチトランジスタＴ６の入力端は第１高周波パルス信号ＸＣＫＮに接続され、第９スイッチトランジスタＴ６の出力端は基準点Ｋ（Ｎ）に接続される。
第１０スイッチトランジスタＴ８の制御端は現在の下り信号ＳＴ（Ｎ）に接続され、第１０スイッチトランジスタＴ８の入力端は第１定電圧ローレベル源ＶＳＳ１に接続され、第１０スイッチトランジスタＴ８の出力端は第１高周波パルス信号ＸＣＫＮに接続される。
第１１スイッチトランジスタＴ１６の制御端は第２高周波パルス信号ＣＫＮに接続され、第１１スイッチトランジスタＴ１６の入力端は第１高周波パルス信号ＸＣＫＮに接続され、第１１スイッチトランジスタＴ１６の出力端は基準点Ｋ（Ｎ）に接続される。
第１２スイッチトランジスタＴ２０の制御端は基準点Ｋ（Ｎ）に接続され、第１２スイッチトランジスタＴ２０の出力端は基準点Ｋ（Ｎ）に接続され、第１２スイッチトランジスタＴ２０の入力端は第１高周波パルス信号ＸＣＫＮに接続される。
第１３スイッチトランジスタＴ１８の制御端は直前の下り信号ＳＴ（Ｎ−１）を入力し、第１３スイッチトランジスタＴ１８の入力端は第１定電圧ローレベル源ＶＳＳ１に接続され、第１３スイッチトランジスタＴ１８の出力端は第１高周波パルス信号ＸＣＫＮに接続される。
【００７５】
第２プルダウン維持部２０４２は、第１４スイッチトランジスタＴ１１、第１５スイッチトランジスタＴ１２、第１６スイッチトランジスタＴ２２、第１７スイッチトランジスタＴ５、第１８スイッチトランジスタＴ７、第１９スイッチトランジスタＴ１５、第２０スイッチトランジスタＴ１９及び第２１スイッチトランジスタＴ１７を含む。
【００７６】
第１４スイッチトランジスタＴ１１の制御端は基準点Ｐ（Ｎ）に接続され、第１４スイッチトランジスタＴ１１の入力端は第１定電圧ローレベル源ＶＳＳ１に接続され、第１４スイッチトランジスタＴ１１の出力端は第２スイッチトランジスタＴ２の出力端に接続される。
第１５スイッチトランジスタＴ１２の制御端は基準点Ｐ（Ｎ）に接続され、第１５スイッチトランジスタＴ１２の入力端は第２定電圧ローレベル源ＶＳＳ２に接続され、第１５スイッチトランジスタＴ１２の出力端は第１スイッチトランジスタＴ１の出力端に接続される。
第１６スイッチトランジスタＴ２２の制御端は基準点Ｐ（Ｎ）に接続され、第１６スイッチトランジスタＴ２２の入力端は第１定電圧ローレベル源ＶＳＳ１に接続され、第１６スイッチトランジスタＴ２２の出力端は現在の下り信号ＳＴ（Ｎ）に接続される。
第１７スイッチトランジスタＴ５の制御端は第２高周波パルス信号ＣＫＮに接続され、第１７スイッチトランジスタＴ５の入力端は第２高周波パルス信号ＣＫＮに接続され、第１７スイッチトランジスタＴ５の出力端は基準点Ｐ（Ｎ）に接続される。
第１８スイッチトランジスタＴ７の制御端は現在の下り信号ＳＴ（Ｎ）に接続され、第１８スイッチトランジスタＴ７の入力端は第１定電圧ローレベル源ＶＳＳ１に接続され、第１８スイッチトランジスタＴ７の出力端は第２高周波パルス信号ＣＫＮに接続される。
第１９スイッチトランジスタＴ１５の制御端は第１高周波パルス信号ＸＣＫＮに接続され、第１９スイッチトランジスタＴ１５の入力端は第２高周波パルス信号ＣＫＮに接続され、第１９スイッチトランジスタＴ１５の出力端は基準点Ｐ（Ｎ）に接続される。
第２０スイッチトランジスタＴ１９の制御端は基準点Ｐ（Ｎ）に接続され、第２０スイッチトランジスタＴ１９の出力端は基準点Ｐ（Ｎ）に接続され、第２０スイッチトランジスタＴ１９の入力端は第２高周波パルス信号ＣＫＮに接続される。
第２１スイッチトランジスタＴ１７の制御端は直前の下り信号ＳＴ（Ｎ−１）を入力し、第２１スイッチトランジスタＴ１７の入力端は第１定電圧ローレベル源ＶＳＳ１に接続され、第２１スイッチトランジスタの出力端は第２高周波パルス信号ＣＫＮに接続される。
【００７７】
ここで、第１高周波パルス信号ＸＣＫＮは、第２高周波パルス信号ＣＫＮの電位と逆である。
【００７８】
ブートストラップコンデンサＣｂは、第１スイッチトランジスタＴ１の出力端とプルアップモジュール２０２の第２スイッチトランジスタＴ２の出力端との間に設置されている。
【００７９】
本好ましい実施例において、走査駆動回路２０は、現在の走査線の走査レベル信号Ｑ（ｎ）をリセット操作するリセットモジュール２０６を更に含む。該リセットモジュール２０６はスイッチトランジスタＴ４を含み、スイッチトランジスタＴ４の制御端にハイレベル信号を入力することにより、走査線の走査レベル信号Ｑ（ｎ）（即ち、基準点Ｑ（ｎ））にリセット処理を行う。
【００８０】
図２を参照すると、本好ましい実施例の走査駆動回路２０が動作状態にあって、直前の下り信号ＳＴ（Ｎ−１）はハイレベルである場合に、第１スイッチトランジスタＴ１がオンし、定電圧ハイレベルＤＣＨは第１スイッチトランジスタＴ１を介してブートストラップコンデンサＣｂを充電することにより、基準点Ｑ（ｎ）はより高いレベルになる。そして、直前の下り信号ＳＴ（Ｎ−１）はローレベルになり、第１スイッチトランジスタＴ１がオフし、基準点Ｑ（ｎ）はブートストラップコンデンサＣｂにより比較的に高いレベルに維持され、第２スイッチトランジスタＴ２及び第３スイッチトランジスタＴ１９がオンする。
【００８１】
次に、現在のクロック信号ＣＫ（ｎ）はハイレベルになり、クロック信号ＣＫ（ｎ）は第２スイッチトランジスタＴ２を介して引き続きブートストラップコンデンサＣｂを充電することにより、基準点Ｑ（ｎ）はより高いレベルに達し、現在の走査信号Ｇ（Ｎ）及び現在の下り信号ＳＴ（Ｎ）もハイレベルになる。
【００８２】
この場合、基準点Ｑ（ｎ）はハイレベル状態であり、第１スイッチトランジスタＴ１の入力端は定電圧ハイレベルＤＣＨに接続されるため、基準点Ｑ（ｎ）は第１スイッチトランジスタＴ１により漏電が発生することはない。
【００８３】
また、第２２スイッチトランジスタＴ１３がオンするため、第１プルダウン維持部又は第２プルダウン維持部は、第１高周波パルス信号及び第２高周波パルス信号の作用により基準点Ｑ（ｎ）のハイレベルに維持される。
【００８４】
第１高周波パルス信号ＸＣＫＮはハイレベル、第２高周波パルス信号ＣＫＮはローレベルである場合に、第１９スイッチトランジスタＴ１５、第９スイッチトランジスタＴ６及び第１８スイッチトランジスタＴ７がオンし、基準点Ｋ（Ｎ）及び基準点Ｐ（ｎ）は第１９スイッチトランジスタＴ１５及び第１８スイッチトランジスタＴ７により低電位にプルダウンされ、第６スイッチトランジスタＴ１０、第７スイッチトランジスタＴ１１、第８スイッチトランジスタＴ２３、第１４スイッチトランジスタＴ１１、第１５スイッチトランジスタＴ１２及び第１６スイッチトランジスタＴ２２がオフすることにより、基準点Ｑ（ｎ）、現在のプルダウン信号ＳＴ（Ｎ）及び現在の走査信号Ｇ（Ｎ）の高電位が保証される。
【００８５】
第１高周波パルス信号ＸＣＫＮはローレベル、第２高周波パルス信号ＣＫＮはハイレベルである場合に、第１７スイッチトランジスタＴ５、第１１スイッチトランジスタＴ１６及び第１０スイッチトランジスタＴ８がオンし、基準点Ｋ（Ｎ）及び基準点Ｐ（ｎ）は第１１スイッチトランジスタＴ１６及び第１０スイッチトランジスタＴ８により低電位にプルダウンされ、第６スイッチトランジスタＴ１０、第７スイッチトランジスタＴ１１、第８スイッチトランジスタＴ２３、第１４スイッチトランジスタＴ１１、第１５スイッチトランジスタＴ１２及び第１６スイッチトランジスタＴ２２がオフすることにより、基準点Ｑ（ｎ）、現在のプルダウン信号ＳＴ（Ｎ）及び現在の走査信号Ｇ（Ｎ）の高電位が保証される。
【００８６】
直後のプルダウン信号ＳＴ（Ｎ＋１）はハイレベルになると、第４スイッチトランジスタＴ３がオンし、基準点Ｑ（ｎ）はローレベルになり、この時、第２２スイッチトランジスタＴ１３がオフする。
【００８７】
第１高周波パルス信号ＸＣＫＮはハイレベルである場合に、基準点Ｋ（Ｎ）がハイレベルにプルアップされ、第６スイッチトランジスタＴ１０、第７スイッチトランジスタＴ１１及び第８スイッチトランジスタＴ２３がオンすることにより、基準点Ｑ（ｎ）、現在のプルダウン信号ＳＴ（Ｎ）及び現在の走査信号Ｇ（Ｎ）の低電位が保証される。
【００８８】
第２高周波パルス信号ＣＫＮはハイレベルである場合に、基準点Ｐ（ｎ）がハイレベルにプルアップされ、第１４スイッチトランジスタＴ１１、第１５スイッチトランジスタＴ１２及び第１６スイッチトランジスタＴ２２がオンすることにより、同様に、基準点Ｑ（ｎ）、現在のプルダウン信号ＳＴ（Ｎ）及び現在の走査信号Ｇ（Ｎ）の低電位が保証される。
【００８９】
また、本好ましい実施例において、基準点Ｑ（ｎ）を第１ローレベルより低い第２ローレベルにプルダウンすることにより、第２スイッチトランジスタＴ２及び第３スイッチトランジスタＴ１９のオフ状態をより良好に保証することができ、第２スイッチトランジスタＴ２の漏電による走査信号Ｇ（Ｎ）の電位への影響、及び第３スイッチトランジスタＴ１９の漏電による現在の下り信号ＳＴ（Ｎ）の電位への影響を回避することができる。
【００９０】
以上より、本好ましい実施例の走査駆動回路は、基準点Ｑ（ｎ）が高電位状態又は低電位状態にあるにも関わらず、基準点Ｑ（ｎ）の電位状態を良好に維持することができ、スイッチトランジスタの漏電による基準点Ｑ（ｎ）の電位変化を回避することができる。
【００９１】
本発明の走査駆動回路は、複数の異なる電位の定電圧ローレベル源を設置することにより、漏電の発生を良好に回避でき、走査駆動回路の信頼性が向上される。
【００９２】
図３は、本発明の走査駆動回路の第２の好ましい実施例の構造図である。本好ましい実施例の走査駆動回路と第１の好ましい実施例との相違点は、第１０スイッチトランジスタＴ８と第１８スイッチトランジスタＴ７の入力端はともに第２定電圧ローレベル源に接続されることにある。それにより、第１０スイッチトランジスタＴ８と第１８スイッチトランジスタＴ７に漏電が発生することで、基準点Ｋ（Ｎ）と基準点Ｐ（ｎ）の電位に影響を与えることがなく、該走査駆動回路の信頼性がさらに向上される。
【００９３】
図４は、本発明の走査駆動回路の第３の好ましい実施例の構造図である。本好ましい実施例の走査駆動回路と第２の好ましい実施例との相違点は、第５スイッチトランジスタＴ２１、第８スイッチトランジスタＴ２３及び第１６スイッチトランジスタＴ２２の入力端はいずれも第２定電圧ローレベル源に接続されることにある。それにより、第５スイッチトランジスタＴ２１、第８スイッチトランジスタＴ２３及び第１６スイッチトランジスタＴ２２での漏電は現在の下り信号ＳＴ（Ｎ）の電位に影響を与えず、該走査駆動回路の信頼性がさらに向上される。
【００９４】
図５は本発明の走査駆動回路の第４の好ましい実施例の構造図である。図６は本発明の走査駆動回路の第４の好ましい実施例の信号波形図である。本好ましい実施例の走査駆動回路５０は、プルアップ制御モジュール５０１、プルアップモジュール５０２、プルダウンモジュール５０３、プルダウン維持モジュール５０４、下りモジュール５０５、リセットモジュール５０６、ブートストラップコンデンサＣｂ及び定電圧ローレベル源を含む。本好ましい実施例の走査駆動回路の定電圧ローレベル源は、第１定電圧ローレベル源ＶＳＳ１、第２定電圧ローレベル源ＶＳＳ２及び第３定電圧ローレベル源ＶＳＳ３を含む。第１定電圧ローレベル源ＶＳＳ１はプルダウン維持モジュールに第１ローレベルを提供し、第２定電圧ローレベル源ＶＳＳ２はプルダウン維持モジュールに第２ローレベルを提供し、第３定電圧ローレベル源ＶＳＳ３はプルダウン維持モジュールに第３ローレベルを提供する。第１ローレベルは走査信号Ｇ（Ｎ）をプルダウンし、第２ローレベルは走査レベル信号Ｑ（ｎ）をプルダウンし、第３ローレベルは下り信号ＳＴ（Ｎ）をプルダウンする。第１ローレベルの絶対値は第２ローレベルの絶対値より小さく、第２ローレベルの絶対値は第３ローレベルの絶対値より小さい。
【００９５】
プルダウンモジュール５０３の第５スイッチトランジスタＴ２１の出力端は第３定電圧ローレベル源ＶＳＳ３に接続され、プルダウン維持モジュール５０４の第８スイッチトランジスタＴ２３の入力端は第３定電圧ローレベル源ＶＳＳ３に接続され、プルダウン維持モジュール５０４の第１５スイッチトランジスタＴ２２の入力端は第３定電圧ローレベル源ＶＳＳ３に接続される。
【００９６】
プルダウンモジュール５０３の第４スイッチトランジスタＴ３は第２定電圧ローレベル源ＶＳＳ２に接続され、プルダウン維持モジュール５０４の第７スイッチトランジスタＴ９は第２定電圧ローレベル源ＶＳＳ２に接続され、プルダウン維持モジュール５０４の第１０スイッチトランジスタＴ８の入力端は第２定電圧ローレベル源ＶＳＳ２に接続され、プルダウン維持モジュール５０４の第１５スイッチトランジスタＴ１２の入力端は第２定電圧ローレベル源ＶＳＳ２に接続され、プルダウン維持モジュール５０４の第１８スイッチトランジスタＴ７の入力端は第２定電圧ローレベル源ＶＳＳ２に接続される。
【００９７】
プルダウン維持モジュール５０４の第６スイッチトランジスタＴ１０の入力端は第１定電圧ローレベル源ＶＳＳ１に接続され、プルダウン維持モジュール５０４の第１３スイッチトランジスタＴ１８の入力端は第１定電圧ローレベル源ＶＳＳ１に接続され、プルダウン維持モジュール５０４の第１４スイッチトランジスタＴ１１の入力端は第１定電圧ローレベル源ＶＳＳ１に接続され、プルダウン維持モジュール５０４の第２１スイッチトランジスタＴ１７の入力端は第１定電圧ローレベル源ＶＳＳ１に接続される。
【００９８】
本好ましい実施例の走査駆動回路５０は、３つの定電圧ローレベル源の設計により、現在のプルダウン信号ＳＴ（Ｎ）をより良好にプルダウンすることができ、第１０スイッチトランジスタＴ８及び第１８スイッチトランジスタＴ７のオフを確保でき、基準点Ｋ（Ｎ）と基準点Ｐ（Ｎ）の高電位を保証することができる。
【００９９】
図７は本発明の走査駆動回路の第５の好ましい実施例の構造模式図であり、図８は本発明の走査駆動回路の第５の好ましい実施例の信号波形図である。本好ましい実施例と走査駆動回路の第４の好ましい実施例との相違点は、第１高周波パルス信号ＸＣＫＮの代わりに、第１低周波電位信号ＬＣ２を使用し、第２高周波パルスＣＫＮの代わりに、第２低周波電位信号ＬＣ１を使用することにある。第１低周波電位信号ＬＣ２及び第２低周波電位信号ＬＣ１は、数フレームの画面または数十フレームの画面の後に電位を変換することにより、走査駆動回路のインパルススイッチ操作を減らして走査駆動回路の消費電力を節約することができる。
【０１００】
本発明の走査駆動回路は、複数の異なる電位の定電圧ローレベル源を設置することにより、漏電の発生を良好に回避し、走査駆動回路の信頼性を向上させることができ、従来の走査駆動回路に漏電が発生しやすく、走査駆動回路の信頼性に影響を与えるという技術問題が解決される。
【０１０１】
上記より、本発明は好ましい実施例により開示されたが、上記の好ましい実施例は本発明を限定するものでなく、本発明の趣旨及び範囲を脱出しない限り、当業者であれば、様々な変更及び修飾を加えることができるため、本発明の保護範囲は、特許請求の範囲に基づくものである。
【図１】
0006486486.tif 000002
【図２】
0006486486.tif 000003
【図３】
0006486486.tif 000004
【図４】
0006486486.tif 000005
【図５】
0006486486.tif 000006
【図６】
0006486486.tif 000007
【図７】
0006486486.tif 000008
【図８】
0006486486.tif 000009